(57)【要約】【課題】  通気性にすぐれたスノコ寝床において、脚力の低下した人が他人の助け無しに、楽に寝返りを打つことができる構造を提供する。【解決手段】  スポンジマットレスとスノコの双方の長所を組み合わせた。スノコの台を棒状の軟弾性材とし、台をスノコの両側端とスノコ幅のほぼ３等分点の合計４箇所以上に設ける。使用者が仰臥した状態でスノコ面の最大沈み込み量が、２０ｍｍ以上８０ｍｍ以下の範囲となるように、スノコの寸法と材質、間隔、および台の材質と寸法を選ぶ。【選択図】図６
0003126374.tif 000002
【実用新案登録請求の範囲】
【請求項１】
スノコの台を棒状の軟弾性材とし、少なくともスノコの両側端とスノコ幅のほぼ３等分点の合計４箇所に配するとともに、スノコ寝床に使用者が仰臥した状態におけるスノコ上面の最大沈み込み量が２０ｍｍ以上、８０ｍｍ以下であることを特徴とするスノコ寝床。
【請求項２】
台は軟弾性材の棒を筒状の袋に収容したものであることを特徴とする請求項１記載のスノコ寝床。
【考案の詳細な説明】
【技術分野】
【０００１】  この考案は、スノコ寝床の改良に関する。スノコ寝床はベッドの主体部分として、あるいはそのままで畳または床に直接置いて使用される。
【背景技術】
【０００２】  ベッドを軽量化するために金属スプリングに代わるクッションとして、あるいは和式の寝床として、主としてウレタンフォームに代表されるスポンジマットレスが使用されている。スポンジマットレスは軽く、弾力の選択が容易で、加工しやすいのでひろく普及しているが通気性に難点がある。スポンジマットレスの通気性や寝心地をよくするために、通気孔を設けたり、溝や空間を配置する試みが成されている。また、最近はこれの反撥特性を改善した低反撥性のものが実用化され、身体表面が受ける圧力を均一化して使用感をよくしている。【０００３】  これらはある程度の効果を上げているが、スポンジマットレスには上記とは別に本質的な弱点がある。それは図１に示すごとく、体幹の重い部分が局部的に沈み込んでいるので、寝返りを打とうとすると大きな駆動力を必要とすることである。これは低反撥性マットレスにおいて著しい。すなわち、人が睡眠中に寝返りを打つとき、身体を転回させる駆動源は主として脚である。図で模式的にＦで示すように寝返り方向の反対側の足で寝床を踏むことによって駆動している。健常者にとって、この寝返り動作は大した筋力を要さず、かつ普段は睡眠中に行われているので、ほとんど意識されていない。しかしながら脚力の低下した高齢者や身体障害者にとっては、このような窪みから脱出することは骨の折れる行為である。【０００４】  また他方で、通気性に優れた寝床として「スノコ寝床」が古くより知られており、このスノコ寝床をより使いやすく改良したものが提案されている。たとえば特許文献１は、竹や木のスノコ桟の両端を支えて寝床とし、桟の「しなり」によってスノコ寝床を身体の凹凸に添わせるものである。しかしながらこの形式においても、図２に示すようにスノコ桟の中央で沈み込んでいるために、寝返り動作は傾斜面を登ることになり、大きな駆動力を必要とする。【０００５】  さらに特許文献２ではスノコの桟に上下貫通の通気孔を多数設けて通気性を改善している。これはスノコ桟を受ける台を桟の幅に細分割し、スノコの全長にわたって桟と台の間にベルトを介装したものである。したがって通気性と、寝具としての収納性は改善されているが、寝返りについてはまったく考慮されていない。
【特許文献１】実用新案公開昭和６１−１３６９５３号
【特許文献２】特許公開２００６−３７３８３号
【考案の開示】
【考案が解決しようとする課題】
【０００６】  上記従来品のスノコ寝床においても、寝返りにはかなりの脚力を必要とする。ベッドや寝床に関してこれまでにおびただしい出願がなされているが、寝返りを対象にしたものは極めて少ない。この考案は、上記の問題を解決するために成されたものであり、通気性にすぐれたスノコ寝床において、脚力の弱い人が他人の助けを借りることなく、楽に寝返りを打つことができる構造を提供することを課題とする。
【課題を解決するための手段】
【０００７】  本考案では、スポンジマットレスとスノコの双方の長所を組み合わせ、さらに構造に工夫を加えることによって上記の課題を解決した。すなわち、スノコの台を棒状の軟弾性材とし、スノコの両側端とスノコ幅のほぼ３等分点の合計４箇所以上に配設する。そうして、スノコ寝床に使用者が仰臥した状態での最大沈み込み量が、２０ｍｍ以上８０ｍｍ以下の範囲となるように部材の材質と寸法を選ぶ。【０００８】  また、台は軟弾性材の棒を筒状の袋に収容した構造とする。ここで軟弾性材とはスポンジゴムに代表される圧縮反撥材料であって、圧縮荷重を受けると適度に弾性収縮し、荷重を開放すればほぼもとの姿に復元するようなものであれば何でも使用できる。
【考案の効果】
【０００９】  本考案によってスノコの通気性とスポンジゴムの柔らかい弾性とを兼ね備え、寝返りを楽に打つことが出来るスノコ寝床が実現した。スノコ寝床は多数の横方向の桟に細分されているので縦方向には柔軟であり、身体の凹凸に添って起伏して接触圧を分散し、快適な寝心地をもたらす。また横方向には横幅いっぱいに配設した桟のしなりと台の圧縮変形によって体重を受けるので、局部的な窪みを形成することが無く、小さな駆動力で身体を転回させることができる。
【考案を実施するための最良の形態】
【実施例】
【００１０】  図面に従って本考案を説明する。図３および図４は本考案の１実施例を示す。１１は木製の桟であり、長手方向を寝床の横方向とし、寝床の縦方向にほぼ等間隔に並べてスノコ寝床１を形成している。２は台であり、スノコの両側端および桟長さの３等分点の合計４点にて桟に固定され、桟を支持するとともに桟の間隔（スノコのピッチ）を維持している。【００１１】  桟の材質は、木材、竹あるいはこれらと同等のしなり特性を呈するものであれば特に制限しない。本実施例では、機械的性質に優れ、しかも安眠効能を有する芳香を発する檜材を用いている。なお夏季など、寝床からの放熱をよくするためには桟を金属あるいは炭素繊維強化プラスチックのような熱伝導性に優れた材質とするのが良い。【００１２】  桟の長さはスノコ寝床の幅とし、断面寸法はスノコの間隔および台の圧縮変形とあわせて設計する必要がある。すなわち、スノコのしなりと台の圧縮変形との組み合わせで得られる沈み込み量が使用者の身体条件に適合するように選定する。本実施例では、桟の断面寸法を幅８０ｍｍ、厚さ（高さ）１０ｍｍ、長さは寝床幅の１０００ｍｍとし、桟の間隔を２５ｍｍとした。この寸法は、後述する台との組み合わせにおいて、身長１６５ｃｍ、体重６０ｋｇの人に適合させて、仰臥時における体幹部の最大沈み込み量を約４０ｍｍとするものである。【００１３】  桟の間隔は、通気性を高めるには大きくすべきであるが、間隔を大きくすると桟の断面積を大きくせねばならず、かつ身体に桟の稜線が感知されるようになって、身体が受ける接触感がよくない。本実施例における間隔２５ｍｍは、薄手の敷き布団を介して使用するときに、スノコの稜線をほとんど感じることがなく、ほぼ均一な面状の接触感を与える。【００１４】  台は厚み（上下）方向に圧縮反撥し、かつ長手方向には適度の柔軟性と変形抵抗力を必要とする。台はスノコ寝床の全長にわたって桟の下面に固着されており、隣り合う桟同士の間隔と姿勢を保持する。台の変形特性と桟のしなりとが合わさって、スノコ寝床全体の変形特性が形成される。【００１５】  台は単一の素材でも良いが、図４に示すごとく弾性材を丈夫な外皮で包んだものが実用的である。図４において、２１はウレタンフォーム、２２は帆布製の袋、２３は袋の全長にわたって設けられているファスナ、２４は袋を桟に固定する又釘である。台を桟に固定するには、ファスナを開いてウレタンフォームを取り出し、空の袋を桟に釘止めしたうえでウレタンフォームを袋に戻してファスナを閉じる。【００１６】  台の断面寸法は、スノコの中での配列数と、使用者の身体条件に応じて選択する。本実施例では、汎用のウレタンフォームを用い、幅５０ｍｍ、厚さ（高さ）５０ｍｍとして、前記の使用者が仰臥するときに、スノコ桟の体幹部における沈み込み量の最大値が約４０ｍｍとなるようにした。【００１７】  台の数は４以上が必要である。もし、両端と中央の合計３本とした場合には身体がスノコ寝床の中央から左右に外れた約１／４位置で安定しようとするので好ましくない。また台の幅を小さくして本数を増やせば、スノコ寝床全体としてはより均一な変形特性を発揮すると考えられるが、本数を増やすとコストが増すので不経済である。��人用のスノコ寝床では台の数は４または５で充分である。【００１８】  次に本考案の作用効果を図５〜図７によって説明する。図５はスノコ寝床に使用者Ｕが仰臥した状況を示す。図において、Ｈは台２の無負荷状態における高さ、Ｇ１およびＧ２は沈み込みが最大である腰部（ＡＡ断面部）における桟下面の高さであり、Ｓは沈み込み量である。沈み込み量Ｓは前述したとおり、桟１１および台２の材質と寸法、ならびに配置密度（間隔）を変えることによって自由に設定できる。【００１９】  沈み込み量の異なるスノコ寝床を種々試作して実際に使用実験を行い、寝返りの容易さと寝心地を調査した。その結果、台を低くして沈み込み量を減少させると、沈み込み量が２０ｍｍ近辺でクッション効果がほとんど感じられなくなって、硬い床に敷いた布団とほとんど同じになる。逆に台を高くして沈み込み量を大きくすると、図５に示す使用者の身体の軸線が大きく曲がるようになる。このような軸線が大きく曲がる睡眠姿勢は寝心地が悪いばかりか健康にもよくないと言われている。実用的に利用できる沈み込み量の上限は８０ｍｍ近辺であり、４０ｍｍであればほとんどの使用条件に適合できることが分かった。【００２０】  図６は図５におけるＡＡ断面を示す。図において１１は桟、２は台であり、１１（Ａ）は図５のＡＡ断面における桟の状況を示し、１１（Ｂ）はＢＢ視すなわちスノコ寝床端部の無負荷状態における桟の状況を重ねて記入したものである。Ａ位置における桟は、体重によって緩やかにしなるとともに全体が下がり、床との間隙が中央でＧ１、側端でＧ２である。沈み込み量は中央で最大となりＳ１＝Ｈ−Ｇ１、側端ではＳ２＝Ｈ−Ｇ２となる。【００２１】  桟のしなり変形量に関しては、とくに規制する必要はない。その理由は、実用的なスノコで採用されている桟の断面寸法の範囲内であれば、桟１１のしなり変形の曲率半径は充分に大きいので寝返りにはほとんど影響がないからである。すなわち、使用者が寝床の幅方向に窪みを感じることはなく、感触はほとんど平坦である。なお、木材以外の材質でスノコを製作する場合には、使用状態でのしなり変形量は１０００ｍｍあたり１５〜５０ｍｍを目安とすればよい。ちなみに本実施例では、しなり変形量は図６におけるＧ２−Ｇ１に該当し、体重６０ｋｇの使用者の場合で、最大２５ｍｍであった。【００２２】  図６の状態から使用者が右側方へ寝返りを打つときには、左足で寝床を下方に踏み、その反力で体幹を回転させる。その状況は図７に示すごとく寝返りとともに体重が右方（図では左方）に移り、桟のしなりの形状も変化して沈み込み最大点も右方へ移動する。ここで体幹部が右方へ移動しても、体幹部が接触している部分のスノコの高さは殆ど変化しないことが本考案の特徴である。つまり身体にとっては、平坦なスノコの上を転回するのと殆ど変わりなく寝返りを打つことが出来る。これは、図１の低反撥ウレタンフォーム、および図２の形式のスノコと比較して大きく異なる点である。【００２３】  本考案による効果を定量的に証明するために、寝返り時の駆動力を実測した。測定方法は、図６および図１の状態で左足の下に荷重計を置き、掛け布団の無い状態で、仰臥の状態から９０度回転して横臥状態になるまで��間を連続して踏力Ｆを測定した。本実施例のスノコ寝床のほかに比較例として低反撥ウレタンフォームおよび敷き布団のみについても同じ条件で測定した。【００２４】  図８は寝返りの間に回転駆動力を供給する左足が寝床面を踏む力を連続測定した記録である。図から明らかなように、本考案のスノコ寝床における回転駆動力の最大値は低反撥ウレタンフォームの約半分、布団の約８０％である。また寝返りに要する時間も短く、したがって曲線と横軸で囲まれた面積（仕事量）を比較すると、スノコ寝床は布団の約１／２、低反撥ウレタンフォームの約１／３であることが分かった。【００２５】  本考案のもうひとつの特徴は、図４にて説明した台の構造によってもたらされる作用効果にある。すなわち台は、丈夫な布帛の筒にウレタンフォームが充填された棒状である。この構造はウレタンフォーム単一の場合に比べて強度、変形抵抗ともに大きいので、単にスノコの荷重を受けるのみならず、桟の間隔を一定に維持しつつスノコ全体の形状を保持する。その結果、図５に示すようにスノコ寝床として適度の柔軟性でもって身体に添い、体圧を分散させて快適な寝心地を提供する。また織布の袋構造としたのでこれと木のスノコとの組み合わせは意匠性が高く、丈夫であり、ウレタンフォームの換装にも好都合である。さらに当然ながら、従来品と同様に寝床の長手方向にロール巻きして収納することも可能である。
【図面の簡単な説明】
【００２６】
【図１】従来のウレタンフォーム寝床における寝返りの模式図である。
【図２】従来のスノコ寝床における寝返りの模式図である。
【図３】本考案のスノコ寝床実施例の斜視図である。
【図４】本考案実施例おける台の断面詳細図である。
【図５】本考案実施例の縦断面図である。
【図６】本考案実施例の体幹部おける横断面図である。
【図７】本考案実施例における寝返りの模式図である。
【図８】寝返り駆動力の時間変化を実測した記録である。
【符号の説明】
【００２７】  １  スノコ寝床
１１  桟
２  台
２１  ウレタンフォーム
２２  袋
２３  ファスナ
２４  又釘
Ｕ  使用者
Ｆ  踏力
Ｓ  沈み込み量
Ｇ  桟と床面との間隙
【図１】
0003126374.tif 000003
【図２】
0003126374.tif 000004
【図３】
0003126374.tif 000005
【図４】
0003126374.tif 000006
【図５】
0003126374.tif 000007
【図６】
0003126374.tif 000008
【図７】
0003126374.tif 000009
【図８】
0003126374.tif 000010